(57)【特許請求の範囲】
【請求項１】
駐車券に書き込まれた情報を読み取るカードリーダと、
サービス情報または決済情報の少なくとも一方の情報が記録されたＩＣカードの情報の読み取り、書き込みを行うカードリーダライタ装置と、
前記カードリーダにより読み取られた前記駐車券の情報に基づいて精算金額を算出するとともに、前記ＩＣカードまたは現金により精算処理を行う制御部と、を備え、
前記制御部は、前記駐車券が前記カードリーダに挿入された場合に、前記カードリーダライタ装置を前記ＩＣカードのサービス情報のみの読み取り待機状態に制御するとともに、前記カードリーダライタ装置により前記ＩＣカードのサービス情報が読み取られた場合に、前記カードリーダライタ装置を前記ＩＣカードの決済情報の読み取り待機状態に制御することを特徴とする料金精算機。
【請求項２】
前記カードリーダライタ装置は、前記ＩＣカードのサービス情報を読み取るためのサービス用カードリーダライタ装置と、前記ＩＣカードの決済情報を読み取るための決済用カードリーダライタ装置と、から構成されていることを特徴とする請求項１に記載の料金精算機。
【請求項３】
前記制御部は、前記カードリーダライタ装置により前記サービス情報が読み取られた場合に、現金による精算を不可として、前記ＩＣカードによる精算のみを受け付けるように制御することを特徴とする請求項１または請求項２に記載の料金精算機。
【請求項４】
前記制御部は、前記カードリーダライタ装置による前記ＩＣカードが読み取られなかった場合に、現金による精算のみを受け付けるように制御することを特徴とする請求項１から請求項３のいずれか一項に料金精算機。
【発明の詳細な説明】
【技術分野】
【０００１】
本発明は料金精算機に係り、特に、切換ボタンなどの余計な操作を行うことなく、サービス用カードによるサービスを受けることができ、手間を掛けずに精算を行うことを可能とした料金精算機に関する。
【背景技術】
【０００２】
一般に、時間貸しの駐車場においては、所定時間駐車場を利用した利用者に対して精算を行うための料金精算機が設置されている。
【０００３】
そして、近年、このような料金精算機として、非接触型のＩＣカードを用いて、所定のサービス情報を取得するとともに、駐車料金の精算を行うことができるようにした料金精算機が知られている。このような料金精算機においては、第１のリーダライタ装置および第２のリーダライタ装置を設け、第１のリーダライタ装置でＩＣカードのサービス情報を読み込み、第２のリーダライタ装置で決済を行う際に、第１のリーダライタ装置で読み込んだサービス情報を適用した決済を実行するものである。
【０００４】
このような技術として、従来から、例えば、駐車料金を精算する集中精算機は、精算処理用のリーダライタ装置と、割引サービス用のリーダライタ装置とを備え、最初に精算処理用のリーダライタ部のみを通信可能な状態に制御しておき、利用者が切換ボタンを操作したら、割引きサービス用のリーダライタ部のみを通信可能な状態に制御し、割引きサービス用のリーダライタ部の非接触無線通信が終了したタイミングで、再度、精算処理用のリーダライタ部のみを通信可能な状態に制御するようにした技術が開示されている（例えば、特許文献１参照）。
【先行技術文献】
【特許文献】
【０００５】
【特許文献１】特開２０１０−０３３５６６号公報
【発明の概要】
【発明が解決しようとする課題】
【０００６】
しかしながら、前記特許文献１に記載の発明によれば、利用者が切換ボタンを操作することにより、サービス用カードによるサービスを受けることができるようにしているので、利用者の操作が必要であり、サービスを受けるのに手間がかかってしまうという問題を有している。
【０００７】
本発明は前記した点に鑑みてなされたものであり、切換ボタンなどの余計な操作を行うことなく、サービス用カードによるサービスを受けることができ、手間を掛けずに精算を行うことのできる料金精算機を提供することを目的とするものである。
【課題を解決するための手段】
【０００８】
前記目的を達成するために請求項１の発明に係る料金精算機は、駐車券に書き込まれた情報を読み取るカードリーダと、
サービス情報または決済情報の少なくとも一方の情報が記録されたＩＣカードの情報の読み取り、書き込みを行うカードリーダライタ装置と、
前記カードリーダにより読み取られた前記駐車券の情報に基づいて精算金額を算出するとともに、前記ＩＣカードまたは現金により精算処理を行う制御部と、を備え、
前記制御部は、前記駐車券が前記カードリーダに挿入された場合に、前記カードリーダライタ装置を前記ＩＣカードのサービス情報のみの読み取り待機状態に制御するとともに、前記カードリーダライタ装置により前記ＩＣカードのサービス情報が読み取られた場合に、前記カードリーダライタ装置を前記ＩＣカードの決済情報の読み取り待機状態に制御することを特徴とする。
【０００９】
請求項２に係る発明は、請求項１において、前記カードリーダライタ装置は、前記ＩＣカードのサービス情報を読み取るためのサービス用カードリーダライタ装置と、前記ＩＣカードの決済情報を読み取るための決済用カードリーダライタ装置と、から構成されていることを特徴とする。
【００１０】
請求項３に係る発明は、請求項１または請求項２において、前記制御部は、前記カードリーダライタ装置により前記サービス情報が読み取られた場合に、現金による精算を不可として、前記ＩＣカードによる精算のみを受け付けるように制御することを特徴とする。
【００１１】
請求項４に係る発明は、請求項１から請求項３のいずれか一項において、前記制御部は、前記カードリーダライタ装置による前記ＩＣカードが読み取られなかった場合に、現金による精算のみを受け付けるように制御することを特徴とする。
【発明の効果】
【００１２】
請求項１に係る発明によれば、制御部により、駐車券がカードリーダに挿入された場合に、カードリーダライタ装置をＩＣカードのサービス情報のみの読み取り待機状態に制御するとともに、カードリーダライタ装置によりＩＣカードのサービス情報が読み取られた場合に、カードリーダライタ装置をＩＣカードの決済情報の読み取り待機状態に制御するようにしているので、切換ボタンなどの余計な操作を行うことなく、ＩＣカードのサービス情報によるサービスを受けることができ、手間を掛けずに精算を行うことができ、使い勝手の向上を図ることができる。
【００１３】
請求項２に係る発明によれば、カードリーダライタ装置を、ＩＣカードのサービス情報を読み取るためのサービス用カードリーダライタ装置と、ＩＣカードの決済情報を読み取るための決済用カードリーダライタ装置と、から構成するようにしているので、サービス用カードリーダライタ装置をＩＣカードのサービス情報の読み取り待機状態に制御するとともに、カードリーダライタ装置によりＩＣカードのサービス情報が読み取られた場合に、決済用カードリーダライタ装置をＩＣカードの決済情報の読み取り待機状態に制御することができ、各カードリーダライタ装置を個別に制御することができる。
【００１４】
請求項３に係る発明によれば、制御部により、カードリーダライタ装置によりＩＣカードのサービス情報が読み取られた場合に、現金による精算を不可として、ＩＣカードによる精算のみを受け付けるように制御するようにしているので、ＩＣカードのサービス情報を読み取った場合にのみ、ＩＣカードによる精算を行うことができ、サービス情報と決済情報とが記録されサービス機能と決済機能とが一体となったＩＣカードを用いる場合に、極めて使い勝手の向上を図ることができる。
【００１５】
請求項４に係る発明によれば、制御部により、カードリーダライタ装置によるＩＣカードのサービス情報が読み取られなかった場合に、現金による精算のみを受け付けるように制御するようにしているので、ＩＣカードを利用しない場合には、現金による精算を行うことができる。
【図面の簡単な説明】
【００１６】
【図１】本発明に係る料金精算機の実施形態を示す概略構成図である。
【図２】本発明に係る料金精算機の実施形態における制御構成を示すブロック図である。
【図３】本発明に係る料金精算機の実施形態における動作を示すフローチャートである。
【発明を実施するための形態】
【００１７】
以下、本発明の実施の形態について図面を参照しながら説明する。
【００１８】
図１は、本発明に係る料金精算機の実施形態を示す概略構成図であり、図１に示すように、本実施形態においては、料金精算機１の前面には、駐車券（図示せず）の情報を読み取るためのカードリーダ２のカード挿入口３が設けられており、このカードリーダ２は、例えば、磁気により情報が記録された駐車券を読み取るための磁気カードリーダ２とされている。また、料金精算機１の前面には、ＩＣカードとしての決済用カード（図示せず）の決済情報を読み取るための決済用カードリーダライタ装置４の決済用カード読み取り部５が設けられるとともに、ＩＣカードとしてのサービス用カード（図示せず）のサービス情報を読み取るためのサービス用カードリーダライタ装置６のサービス用カード読み取り部７が設けられている。
【００１９】
決済用カードは、ＩＣチップが内蔵され、決済用カードリーダライタ装置４と通信により情報の送受信を行うことができる非接触型ＩＣカードであり、例えば、ＩＣ内蔵型の電子マネー、クレジットカードなどである。また、サービス用カードは、ＩＣチップが内蔵され、サービス用カードリーダライタ装置６と通信により情報の送受信を行うことができる非接触型ＩＣカードであり、例えば、ＩＣ内蔵型のパークアンドライドサービスカード、スーパーマーケットやショッピングセンターの会員カードなどである。なお、本実施形態においては、決済用カードとサービス用カードとを別のＩＣカードとしての説明しているが、決済情報およびサービス情報の両情報が記録され、決済用カードとサービス用カードの両方の機能を備えた１枚のＩＣカードを用いるようにしてもよい。
【００２０】
また、決済用カードリーダライタ装置４は、決済用カードの決済を行う機能を有するものであり、サービス用カードリーダライタ装置６は、サービス用カードを読み込んで各種サービス情報、例えば、パークアンドライドサービスカードの場合は、列車の乗車履歴情報などを読み込んで所定の処理を行うことができるものである。なお、本実施形態においては、決済用カードリーダライタ装置４とサービス用カードリーダライタ装置６とを別個に設けるようにしているが、１つのカードリーダライタ装置により構成するようにしてもよい。
【００２１】
さらに、料金精算機１の前面には、紙幣処理ユニット８の紙幣挿入口９および硬貨処理ユニット１０の硬貨挿入口１１がそれぞれ設けられており、さらに、料金精算機１の前面には、紙幣処理ユニット８または硬貨処理ユニット１０に投入された金額を表示するための投入金額表示部１２および駐車券の読み取りにより精算された精算金額を表示するための精算金額表示部１３がそれぞれ設けられている。さらに、料金精算機１の前面には、所定の案内を表示するための案内表示部１４が設けられている。
【００２２】
また、図２は、本発明に係る料金精算機１の制御構成を示したものであり、料金精算機１は、制御部１５を備えており、カードリーダ２、サービス用カードリーダライタ装置６、決済用カードリーダライタ装置４、紙幣処理ユニット８、硬貨処理ユニット１０および投入金額表示部１２、精算金額表示部１３、案内表示部１４の表示を行う表示装置１６は、それぞれ制御部１５により制御されるように構成されている。
【００２３】
本実施形態においては、制御部１５は、駐車券がカードリーダ２に挿入されると、駐車券に記録されている入場時刻などの情報に基づいて料金精算を行い、精算料金表示部に精算料金を表示させるように構成されている。一方、制御部１５は、駐車券がカードリーダ２に挿入されるとサービス用カードリーダライタ装置６を読み取り待機状態に制御するとともに、決済用カードリーダライタ装置４を読み取り停止状態に制御するように構成されている。そして、制御部１５は、サービス用カードリーダライタ装置６にサービス用カードが近接または接触された場合には、サービス用カードリーダライタ装置６によりサービス用カードのサービス情報を読み取り、サービスが適用できるか否かを判定するように構成されている。例えば、サービス用カードが、パークアンドライドサービス用のカードである場合には、サービス用カードに記録されている降車駅情報を読み取り、パークアンドライドサービスを適用することができるか否か判定するものである。
【００２４】
また、制御部１５は、サービス用カードリーダライタ装置６にサービス用カードが近接または接触された場合には、決済用カードリーダライタ装置４を読み取り待機状態に制御するとともに、サービス用カードリーダライタ装置６により読み取られたサービス用カードの情報に基づいてサービスが適用することができると判定した場合には、サービスに基づいて精算料金を計算し直して、再び、精算料金表示部に表示させるように構成されている。そして、決済カード読み取り部に、決済用カードが近接または接触された場合には、決済用カードの決済情報を読み取り、サービス用カードのサービス情報に基づいた精算料金に基づいて決済を行うように構成されている。
【００２５】
一方、サービス用カードリーダライタ装置６にサービス用カードが近接または接触されなかった場合には、制御部１５は、サービスを受けないものとして、決済用カードリーダライタ装置４を停止させて現金による精算を行うように制御するように構成されている。
【００２６】
この場合において、サービスを受けない場合に、サービス用カードリーダライタ装置６に決済用カードを近接または接触させたときには、決済用カードリーダライタ装置４による精算を行うように制御するようにしてもよい。
【００２７】
次に、本実施形態の動作について、図３に示すフローチャートを参照して説明する。
【００２８】
本実施形態においては、まず、カードリーダ２のカード挿入口３に駐車券が挿入されると、カードリーダ２により、駐車券に記録されている入場時刻などの情報を読み取り、制御部１５により、料金精算を行い、精算料金表示部に精算料金を表示させる（ＳＴ１）。一方、制御部１５により、駐車券がカードリーダ２に挿入されたら、制御部１５により、サービス用カードリーダライタ装置６が読み取り待機状態に制御される（ＳＴ２）。
【００２９】
その後、サービス用カードリーダライタ装置６にサービス用カードが近接または接触された場合には（ＳＴ３：ＹＥＳ）、サービス用カードリーダライタ装置６によりサービス用カードのサービス情報を読み取り、制御部１５により、サービスが適用できるか否かを判定する（ＳＴ４）。サービス用カードのサービス情報に基づいてサービスが適用することができると判定した場合には（ＳＴ４：ＹＥＳ）、サービスを適用し（ＳＴ５）、精算料金を再計算する。
【００３０】
そして、制御部１５により、紙幣および硬貨による支払いを不可とし（ＳＴ６）、制御部１５により、決済用カードリーダライタ装置４を読み取り待機状態に制御する（ＳＴ７）。そして、決済カード読み取り部に、決済用カードが近接または接触された場合には（ＳＴ８）、決済用カードの決済情報を読み取り、サービス用カードの情報に基づいた精算料金に基づいて決済を行う（ＳＴ９）。また、決済用カードにより決済をすることができなかった場合には（ＳＴ９：ＮＯ）、サービスを取り消して（ＳＴ１０）、他の精算手段を可能とした後（ＳＴ１１）、再び、初期のサービス用カードリーダライタ装置６の待機状態に戻る。
【００３１】
また、サービス用カードリーダライタ装置６のサービス用カード読み取り部７にサービス用カードか近接または接触されなかった場合には（ＳＴ３：ＮＯ）、紙幣または硬貨による精算を行う（ＳＴ１２）。料金が支払われた場合には、精算処理は終了する。
【００３２】
以上述べたように、本実施形態においては、カードリーダ２のカード挿入口３に駐車券が挿入された場合に、制御部１５により、サービス用カードリーダライタ装置６が読み取り待機状態に制御し、サービス用カードリーダライタ装置６によりサービス用カードを読み取った場合に、自動的に決済用カードリーダライタ装置４を読み取り待機状態に制御するようにしているので、切換ボタンなどの余計な操作を行うことなく、サービス用カードによるサービスを受けることができ、手間を掛けずに精算を行うことができ、使い勝手の向上を図ることができる。
【００３３】
なお、本発明は前記実施形態に限定されるものではなく、本発明の趣旨に基づいて種々の変形が可能である。
【符号の説明】
【００３４】
１  料金精算機
２  カードリーダ
３  カード挿入口
４  決済用カードリーダライタ装置
５  決済用カード読み取り部
６  サービス用カードリーダライタ装置
７  サービス用カード読み取り部
８  紙幣処理ユニット
９  紙幣挿入口
１０  硬貨処理ユニット
１１  硬貨挿入口
１２  投入金額表示部
１３  精算金額表示部
１４  案内表示部
１５  制御部
１６  表示装置
【図１】
0005650938.tif 000002
【図２】
0005650938.tif 000003
【図３】
0005650938.tif 000004